Podtech/llm-jp-corpus-v4-ja_patent huggingface dataset:
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
女性用改良コンドーム器具であって、
開口端及び閉鎖端を構成する壁を有する袋と、
前記閉鎖端の近くで前記袋内に固定された繋留具と、
弾性中央ストラップを備える装着具とを有し、前記ストラップは、前記袋の前記開口端に固定された第１の端と、前記第１の端と反対側の第２の端とを備え、
使用中、前記中央ストラップは、前記コンドームの前記開口端から、使用者の脚間に延びるように操作され、前記中央ストラップの前記第２の端が使用者の背中に弾性的に係合して前記袋を定位置に固定するのを助ける、
女性用改良コンドーム器具。
【請求項２】
前記装着具は、第１の側ストラップ及び第２の側ストラップを有し、前記第１、第２の側ストラップは、前記袋の前記開口端に固定された第１の端と、前記中央ストラップの前記第２の端に固定された第２の端とを備える、請求項１記載の女性用改良コンドーム器具。
【請求項３】
前記袋の前記開口端の近くに位置決めされ、前記袋の前記開口端の周囲に沿って延びるフレームを有する、請求項１記載の女性用改良コンドーム器具。
【請求項４】
前記フレームはフランジを有する、請求項３記載の女性用改良コンドーム器具。
【請求項５】
前記袋の前記開口端の近くに位置決めされたフランジを有し、該フランジは内面及び外面を有する、請求項１記載の女性用改良コンドーム器具。
【請求項６】
前記フランジの前記内面に位置決めされたパッドを有する、請求項５記載の女性用改良コンドーム器具。
【請求項７】
前記パッドは殺精子剤を有する、請求項６記載の女性用改良コンドーム器具。
【請求項８】
前記フランジの前記外面に位置決めされたパッドを有する、請求項５記載の女性用改良コンドーム器具。
【請求項９】
前記パッドは殺精子剤を有する、請求項８記載の女性用改良コンドーム器具。
【請求項１０】
前記袋の前記開口端の近くに設けられた複数のアイレットと、各ストラップの前記第１の端上に位置決めされたクリップとを有し、各ストラップの各クリップは、前記複数個のアイレットのうちの１つのアイレットに取り外し可能に固定されるように操作できる、請求項２記載の女性用改良コンドーム器具。
【請求項１１】
前記中央ストラップの前記第２の端上に位置決めされた振動器具を有する、請求項１記載の女性用改良コンドーム器具。
【請求項１２】
刺激器具を有する、請求項１記載の女性用改良コンドーム器具。
【請求項１３】
前記フレームは、円形、三角形、正方形、楕円形、長方形及び星形から成る群から選択された形状を有する、請求項３記載の女性用改良コンドーム器具。
【請求項１４】
前記繋留具はスポンジを有する、請求項１記載の女性用改良コンドーム器具。
【請求項１５】
前記フレームは、円形、三角形、正方形、楕円形、長方形及び星形から成る群から選択された形状を有する、請求項１記載の女性用改良コンドーム器具。
【請求項１６】
女性用改良コンドームであって、
開口端と閉鎖端とを構成する壁及びフレームを備える袋を有し、前記フレームは、前記袋の前記開口端の近くに位置決めされ、前記袋の前記開口端の周囲に沿って延び、
前記閉鎖端の近くで前記袋内に固定された繋留具を有し、
弾性中央ストラップ、第１の側ストラップ及び第２の側ストラップを備える装着具を有し、前記ストラップは各々、前記袋の前記開口端に固定された第１の端と、前記第１の端と反対側の第２の端とを備え、前記ストラップの各々の前記第２の端は互いに固定されており、
使用中、前記中央ストラップは、前記コンドームの前記開口端から、使用者の脚間に延びるように操作でき、前記中央ストラップの前記第２の端が使用者の背中に弾性的に係合して前記袋を定位置に固定するのを助ける、
女性用改良コンドーム器具。
【請求項１７】
前記袋の前記開口端の近くに位置決めされたフランジを有し、該フランジは内面及び外面を有する、請求項１６記載の女性用改良コンドーム器具。
【請求項１８】
各ストラップの前記第１の端上に位置決めされたクリップを有し、各クリップは、前記袋に取り外し可能に固定されるよう操作できる、請求項１６記載の女性用改良コンドーム器具。
【請求項１９】
女性用改良コンドームであって、
開口端及び閉鎖端を構成する壁と、前記袋の前記開口端の近くに位置決めされ、前記袋の前記開口端の周囲に沿って延びるフレームとを備える袋と、
前記閉鎖端の近くで前記袋内に固定された繋留具と、
弾性の中央ストラップ、弾性の第１の側ストラップ及び弾性の第２の側ストラップを備える装着具とを有し、前記ストラップは各々、前記袋の前記開口端に固定された第１の端と、前記第１の端と反対側の第２の端とを備え、前記ストラップの各々の前記第２の端が互いに固定され、これにより、使用中、前記中央ストラップ及び前記側ストラップは、使用者に弾性的に係合し、これにより前記袋を定位置に固定するのを助けるように操作できる、
女性用改良コンドーム器具。
【請求項２０】
前記袋の前記開口端の近くに位置決めされたフランジを有し、該フランジが内面及び外面を有する、請求項１９記載の女性用改良コンドーム器具。
【請求項２１】
女性用改良コンドーム器具であって、
開口端及び閉鎖端を構成する壁を有する袋と、
前記閉鎖端の近くで前記袋内に固定された繋留具と、
前記コンドームを使用者に取り付けるための装着具と、を有し、
前記装着具は、ストラップを有し、
前記ストラップは、前記袋の前記開口端に固定された第１の端を備え、
コンドーム上に位置決めされた電力供給される刺激器具を有する、
女性用改良コンドーム器具。
【請求項２２】
前記電力供給される刺激器具は、バッテリで電力供給される刺激器具を有する、請求項２１記載の女性用改良コンドーム器具。
【請求項２３】
前記電力供給される刺激器具は、動力学的エネルギーで電力供給される刺激器具を有する、請求項２１記載の女性用改良コンドーム器具。
【請求項２４】
前記電力供給される刺激器具は、発熱体を有する、請求項２１記載の女性用改良コンドーム器具。
【請求項２５】
前記発熱体は、化学的発熱体を有する、請求項２４記載の女性用改良コンドーム器具。
【請求項２６】
前記発熱体は、電子的発熱体を有する、請求項２４記載の女性用改良コンドーム器具。
【請求項２７】
前記電力供給される刺激器具は、振動器具を有する、請求項２１記載の女性用改良コンドーム器具。
【請求項２８】
前記電力供給される刺激器具は、マイクロチップ制御式振動器具を有する、請求項２７記載の女性用改良コンドーム器具。
【請求項２９】
前記電力供給される刺激器具は、脈動器具を有する、請求項２１記載の女性用改良コンドーム器具。
【請求項３０】
前記電力供給される刺激器具は、マイクロチップ制御式脈動器具を有する、請求項２９記載の女性用改良コンドーム器具。
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
（Ａ）ビニルピロリドン、メタクリルアミドおよびビニルイミダゾールから構成されるターポリマーと、
（Ｂ）キトサン、キトサン塩、キトサン誘導体、カチオン性セルロース化合物、ビニルピロリドン、ビニルカプロラクタムおよび塩基性アクリルアミドモノマーのコポリマーまたはこれらポリマーの混合物から選択される少なくとも一つの活性成分
の組合せを含むヘアトリートメント剤であって、
フォーミングのための装置と組み合わせる泡化可能な製品の形態であり、少なくとも一つの泡形成界面活性剤または少なくとも一つの泡形成ポリマーを含み、
機械的ポンプフォーミング装置と組み合わされるか、または少なくとも一つの推進剤と組み合わされるかのいずれかであることを特徴とするヘアトリートメント剤。
【請求項２】
前記活性成分が、キトサン、キトサン塩、ヒドロキシエチルセルロースとジアリルジメチルアンモニウムクロライドのコポリマー（ポリクオータニウム-4)、ビニルピロリドン、ビニルカプロラクタムおよびジメチルアミノプロピルアクリルアミドのコポリマーまたはこれらポリマーの混合物から選択されることを特徴とする、請求項１に記載のヘアトリートメント剤。
【請求項３】
ヒドロキシエチルセルロースとジアリルジメチルアンモニウムクロライドのコポリマー（ポリクオータニウム-4)、および、ビニルピロリドン、ビニルカプロラクタムおよびジメチルアミノプロピルアクリルアミドのコポリマーを含むことを特徴とする、請求項１または請求項２に記載のヘアトリートメント剤。
【請求項４】
ヒドロキシエチルセルロースとジアリルジメチルアンモニウムクロライドのコポリマー（ポリクオータニウム-4)、ビニルピロリドン、ビニルカプロラクタムおよびジメチルアミノプロピルアクリルアミドのコポリマーおよび少なくとも１つのキトサン塩を含むことを特徴とする、請求項１〜３のいずれか１項に記載のヘアトリートメント剤。
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
虚血性組織の潅流の刺激に適した、調製物の製造のためのXIII因子の使用。
【請求項２】
新しい血管の増殖による虚血性組織の潅流の刺激に適した、調製物の製造のためのXIII因子の使用。
【請求項３】
XIII因子がインビトロまたはインビボで活性化されている、請求項１または２に記載のXIII因子の使用。
【請求項４】
注射可能な、請求項１〜３のいずれかに記載の調製物の製造のためのXIII因子の使用。
【請求項５】
心筋梗塞症の治療に適した、請求項１〜４のいずれかに記載の調製物の製造のためのXIII因子の使用。
【請求項６】
虚血性脳卒中または一時的な虚血性発作の治療に適した、請求項１〜４のいずれかに記載の調製物の製造のためのXIII因子の使用。
【請求項７】
動脈性もしくは静脈性閉塞疾患または微小循環の閉塞の治療に適した、請求項１〜４のいずれかに記載の調製物の製造のためのXIII因子の使用。
【請求項８】
局所適用のための、請求項１〜３のいずれかに記載の調製物の製造のためのXIII因子の使用。
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
水アルコールゲル分散剤形態の、化粧品として許容されるスキンケア組成物であって、サリチル酸又はその塩と、アクリロイルジメチルタウリン又はその塩のコポリマーの形のゲル化剤とを含み、キサンタンガムを含有する場合には三塩化鉄を含有しないスキンケア組成物。
【請求項２】
前記ゲル化剤が、アクリロイルジメチルタウリンの塩と他のビニルモノマーとのコポリマーである、請求項１に記載の組成物。
【請求項３】
前記塩がアンモニウム塩である、請求項２に記載の組成物。
【請求項４】
前記ゲル化剤が、アクリロイルジメチルタウリンアンモニウム／ビニルピロリドンのコポリマー、アクリロイルジメチルタウリンアンモニウム／べへネス−２５メタクリレートのコポリマー、及びアクリロイルジメチルタウリンアンモニウム／ビニルホルムアミドのコポリマーからなる群から選択される、請求項１から３までのいずれか一項に記載の組成物。
【請求項５】
０．１〜５％ｗ／ｗの範囲の量のゲル化剤を含む、前記請求項のいずれかに記載の組成物。
【請求項６】
前記水アルコールゲルが、共溶媒として１０％〜５０％ｗ／ｗのＣ１〜６アルコールを含む、前記請求項のいずれかに記載の組成物。
【請求項７】
前記共溶媒がエタノール及び／又はイソプロピルアルコールである、請求項６に記載の組成物。
【請求項８】
有効成分がサリチル酸である、前記請求項のいずれかに記載の組成物。
【請求項９】
スキンケアに有用な１種又は複数のさらなる局所有効成分を含む、前記請求項のいずれかに記載の組成物。
【請求項１０】
サリチル酸又はその塩を含む水アルコールゲルを含み、キサンタンガムを含有する場合には三塩化鉄を含有しない、化粧品として許容されるスキンケア組成物中での、アクリロイルジメチルタウリン又はその塩のコポリマーのゲル化剤としての使用。
【請求項１１】
サリチル酸又はその塩と、アクリロイルジメチルタウリン又はその塩のコポリマーの形のゲル化剤とを含み、キサンタンガムを含有する場合には三塩化鉄を含有しない、化粧品として許容される、水アルコールゲル分散剤形態のスキンケア組成物を含浸させた繊維質の基材を含む製品。
【請求項１２】
前記繊維質の基材が、繊維質基材の１０〜３０重量％、好ましくは１５〜２５重量％、最も好ましくは１８〜２２重量％の範囲の量のスキンケア組成物で含浸される、請求項１１に記載の製品。
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
サリチル酸又はその塩と加水分解乳タンパク質の比が２重量部：１重量部から１５重量部：１重量部である０．１重量％〜５重量％のサリチル酸又はその塩、及び加水分解乳タンパク質を含む組成物で、皮膚に局所塗布に適しｐＨが２．５〜６．０の範囲であるスキンケア組成物。
【請求項２】
サリチル酸を含む請求項１に記載の組成物。
【請求項３】
サリチル酸の濃度が１重量％から３重量％の範囲である、請求項２に記載の組成物。
【請求項４】
加水分解乳タンパク質の濃度が０．１重量％から１．０重量％の範囲である、請求項１に記載の組成物。
【請求項５】
サリチル酸の濃度が０．５重量％から４重量％の範囲、より好ましくは０．５重量から２重量％であり、加水分解乳タンパク質の濃度が０．０８重量％から２重量％の範囲、より好ましくは０．１重量％から０．５重量％である、請求項１に記載の組成物。
【請求項６】
サリチル酸又はその塩と加水分解乳タンパク質の比が５重量部：１重量部から１２重量部：１重量部の範囲である、先行請求項のいずれかに記載の組成物。
【請求項７】
当該ｐＨが２．５から４．０の範囲である、先行請求項のいずれかに記載の組成物。
【請求項８】
抗微生物性又は抗菌性の化合物、抗ウイルス性化合物、抗真菌性化合物、抗炎症性化合物及び駆虫性化合物から選ばれる局所活性スキンケア剤を更に１種以上含む、先行請求項のいずれかに記載の組成物。
【請求項９】
０．１重量％から５重量％のサリチル酸又はその塩及び加水分解乳タンパク質を含み、サリチル酸又はその塩と加水分解乳タンパク質の比が２重量部：１重量部から１５重量部：１重量部である組成物で、ｐＨが２．５〜６．０の範囲で皮膚に局所塗布に適したスキンケア組成物で含浸させた繊維質基材を含む製品。
【請求項１０】
当該繊維質材料は、繊維質材料の重量の１０重量％から３０重量％、好ましくは１５重量％から２５重量％、そして大層好ましくは１８重量％から２２重量％の範囲の量の当該スキンケア組成物で含浸させてある、請求項９に記載の製品。
【請求項１１】
皮膚に当該組成物を局所的に塗布して座瘡に対する予防的又は治療的処置を行うための、サリチル酸又はその塩と加水分解乳タンパク質の比が２重量部：１重量部から１５重量部：１重量部である０．１重量％〜５重量％のサリチル酸又はその塩を含み、ｐＨが２．５〜６．０である組成物における加水分解乳タンパク質の使用。
【請求項１２】
サリチル酸又はその塩及び加水分解乳タンパク質のみが当該生成物中の活性成分である、請求項１１に記載の使用。
【手続補正書】
【提出日】平成20年2月15日(2008.2.15)
【手続補正１】
【補正対象書類名】特許請求の範囲
【補正対象項目名】請求項１４
【補正方法】変更
【補正の内容】
【請求項１４】
式Ｉの化合物［式中、Ｒ１はａ）１以上のフルオロによって置換されたＣ１〜３アルコキシ基または１以上のフルオロによって置換されていてもよいＣ４〜６アルコキシ基、またはｂ）式フェニル（ＣＨ２）ｐＯ−の基（式中、ｐは１、２または３であり、そしてフェニル環はＺによって表される１、２または３個の基によって置換されていてもよい）、またはｃ）Ｒ５Ｓ（Ｏ）２Ｏ基を表す］の製造のための方法であって、式ＩＩＩの化合物：
【化５】
2007523139.tif 000001
（式中、Ｒａ、Ｒ２、Ｒ３、Ｒ４、ｍおよびｎは先に定義した通りである）を
ａ）不活性溶媒中、塩基の存在下、−２５℃〜１５０℃の範囲の温度で、式Ｒ９Ｘのアルキル化剤（式中、Ｒ９は１以上のフルオロによって置換されたＣ１〜３アルキル基または１以上のフルオロによって置換されていてもよいＣ４〜６アルキル基を表し、そしてＸは脱離基を表す）；
ｂ）不活性溶媒中、塩基の存在下、−２５℃〜１５０℃の範囲の温度で、式Ｒ９Ｘのアルキル化剤（式中、Ｒ９は式フェニル（ＣＨ２）ｐＯ−の基を表し、ここでｐは１、２または３であり、フェニル環はＺによって表される１、２または３個の基によって置換されていてもよく、そしてＸは脱離基を表す）；または
ｃ）不活性溶媒中、塩基の存在下、−２５℃〜１５０℃の範囲の温度で、式Ｒ５Ｓ（Ｏ）２Ｌのスルホン化剤（式中、Ｒ５は先に定義した通りであり、Ｌは脱離基を表す）；のいずれかとそれぞれ反応させることを含む前記方法。
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
骨強度を高める必要があることを特徴とする疾患の予防のための医薬組成物であって、式：
【化１】
2007523162.tif 000001
を有する2‐メチレン‐19‐ノル‐20(S)‐1α,25‐ジヒドロキシビタミンＤ３の有効量を含む、前記医薬組成物。
【請求項２】
骨強度が皮質の強度又は骨梁の強度である、請求項１記載の医薬組成物。
【請求項３】
2‐メチレン‐19‐ノル‐20(S)‐1α,25‐ジヒドロキシビタミンＤ３が経口投与されるか、非経口的に投与されるか、又は経皮的に投与される、請求項１記載の医薬組成物。
【請求項４】
疾患が低骨代謝回転骨粗しょう症、ステロイド誘導性骨粗しょう症、老人性骨粗しょう症、閉経後骨粗しょう症及び骨軟化症からなる群から選択される少なくとも１の疾患である、請求項１記載の医薬組成物。 
【請求項５】
2‐メチレン‐19‐ノル‐20(S)‐1α,25‐ジヒドロキシビタミンＤ３が、ヒトに、１日あたり約0.01μgから約100μgの用量で投与される、請求項１記載の医薬組成物。
【請求項６】
2‐メチレン‐19‐ノル‐20(S)‐1α,25‐ジヒドロキシビタミンＤ３が、ヒトに、１日あたり約0.1μgから約10μgの用量で投与される、請求項１記載の医薬組成物。
【請求項７】
2‐メチレン‐19‐ノル‐20(S)‐1α,25‐ジヒドロキシビタミンＤ３が、動物に、１日あたり約0.0001μgから約700μgの用量で投与される、請求項１記載の医薬組成物。
【請求項８】
骨強度を高める必要があることを特徴とする疾患の進行を防止するか、またはその発病を遅延させる医薬組成物であって、式：
【化２】
2007523162.tif 000002
を有する2‐メチレン‐19‐ノル‐20(S)‐1α,25‐ジヒドロキシビタミンＤ３の有効量を含む、前記医薬組成物。
【請求項９】
2‐メチレン‐19‐ノル‐20(S)‐1α,25‐ジヒドロキシビタミンＤ３が経口投与されるか、非経口的に投与されるか、又は経皮的に投与される、請求項８記載の医薬組成物。
【請求項１０】
2‐メチレン‐19‐ノル‐20(S)‐1α,25‐ジヒドロキシビタミンＤ３が、ヒトに、１日あたり約0.01μgから約100μgの用量で投与される、請求項８記載の医薬組成物。
【請求項１１】
2‐メチレン‐19‐ノル‐20(S)‐1α,25‐ジヒドロキシビタミンＤ３が、ヒトに、１日あたり約0.1μgから約10μgの用量で投与される、請求項８記載の医薬組成物。
【請求項１２】
2‐メチレン‐19‐ノル‐20(S)‐1α,25‐ジヒドロキシビタミンＤ３が、動物に、１日あたり約0.0001μgから約700μgの用量で投与される、請求項８記載の医薬組成物。
【請求項１３】
疾患が、骨粗しょう症及び骨軟化症からなる群から選択される、請求項８記載の医薬組成物。
【請求項１４】
骨粗しょう症が、低骨代謝回転骨粗しょう症、ステロイド誘導性骨粗しょう症、老人性骨粗しょう症及び閉経後骨粗しょう症からなる群から選択される少なくとも１である、請求項１３記載の医薬組成物。
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
以下の表に示した化合物から成る群より選択される化合物またはそれらの薬学上許容される塩：
【表１】
2007523168.tif 000001
【表２】
2007523168.tif 000002
【表３】
2007523168.tif 000003
【表４】
2007523168.tif 000004
【表５】
2007523168.tif 000005
【表６】
2007523168.tif 000006
【請求項２】
有効成分として治療上有効な量の請求項１に記載の化合物を、１以上の薬学上許容される希釈剤、賦形剤および／または不活性担体と組み合わせて含んでなる医薬処方物。
【請求項３】
ｍＧｌｕＲ５受容体媒介疾患の予防および／または治療に使用するための薬剤の製造における、請求項１に記載の化合物の使用。
【請求項４】
ヒトにおけるｍＧｌｕＲ５受容体媒介疾患の予防および／または治療の方法であって、こうした予防および／または治療を必要とする患者に、請求項１に記載の化合物の治療上有効な量を投与することを含んでなる、前記方法。
【請求項５】
疾患が神経疾患である、請求項３に記載の使用。
【請求項６】
疾患が精神疾患である、請求項３に記載の使用。
【請求項７】
疾患が慢性疼痛疾患および急性疼痛疾患から選択される、請求項３に記載の使用。
【請求項８】
疾患が消化管疾患である、請求項３に記載の使用。
【請求項９】
疾患が、アルツハイマー病、老人性痴呆症、ＡＩＤＳ誘発型痴呆、パーキンソン病、筋萎縮性側索硬化症、ハンチントン舞踏病、片頭痛、癲癇、統合失調症、鬱病、不安症、急性不安症、強拍神経症、眼科疾患、糖尿病性網膜症、緑内障、聴覚障害、化学療法誘発性神経障害、疱疹後神経痛および三叉神経痛、耐性、依存性、常習性および渇望障害、神経発達障害、自閉症、精神遅滞、統合失調症、ダウン症候群、片頭痛に付随する疼痛、炎症性疼痛、神経痛疾患、関節炎およびリウマチ様疾患、腰痛、術後痛、アンギナに関連する疼痛、腎疝痛または胆石疝痛、月経、片頭痛、痛風、卒中、頭部外傷、低酸素および虚血性傷害、低血糖症、心血管疾患および癲癇から成る群より選択される、請求項３に記載の使用。
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
鎮静剤およびドーパミン受容体作動薬を含む医薬組成物であって、前記鎮静剤が、ラセミ体ゾピクロン、光学的に純粋な（Ｓ）−ゾピクロン、インディプロン、ゾルピデム、ザレプロンおよびガボキサドール、あるいはそれらいずれかの医薬品として許容される塩、溶媒和物または水和物より成る群から選択され；且つ、前記ドーパミン受容体作動薬が、アマンタジン、アポモルフィン、ブロモクリプチン、カベルゴリン、カルモキシロール、光学的に純粋な（Ｓ）−ジデスメチルシブトラミン、ドペキサミン、フェノルドパム、イボパミン、レルゴトリル、リスリド、メマンチン、メスレルギン、ペルゴリド、ピリベジル、プラミペキソール、キナゴリド、ロピニロール、ロキシンドールおよびタリペキソール、あるいはそれらいずれかの医薬品として許容される塩、溶媒和物または水和物より成る群から選択されることを特徴とする医薬組成物。
【請求項２】
前記鎮静剤が、光学的に純粋な（Ｓ）−ゾピクロン、あるいはその医薬品として許容される塩、溶媒和物または水和物であることを特徴とする請求項１記載の医薬組成物。
【請求項３】
前記ドーパミン受容体作動薬が、アポモルフィン、ブロモクリプチン、カベルゴリン、光学的に純粋な（Ｓ）−ジデスメチルシブトラミン、リスリド、ペルゴリド、プラミペキソールおよびロピニロール、あるいはそれらいずれかの医薬品として許容される塩、溶媒和物または水和物より成る群から選択されることを特徴とする請求項１または２記載の医薬組成物。
【請求項４】
前記ドーパミン受容体作動薬が、光学的に純粋な（Ｓ）−ジデスメチルシブトラミン、あるいはその医薬品として許容される塩、溶媒和物または水和物であることを特徴とする請求項３記載の医薬組成物。
【請求項５】
少なくとも１つの医薬品として許容されるキャリヤーをさらに含むことを特徴とする請求項１〜４いずれか１項記載の医薬組成物。
【請求項６】
下肢静止不能症候群または周期性四肢運動障害の患者を治療するための組成物であることを特徴とする請求項１から５いずれか１項記載の医薬組成物。
【請求項７】
睡眠異常の患者を治療するための組成物であることを特徴とする請求項１から５いずれか１項記載の医薬組成物。
【請求項８】
前記睡眠異常が、入眠困難、覚醒維持困難または早すぎる覚醒であることを特徴とする請求項７記載の医薬組成物。
【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
結腸癌の治療のための医薬組成物の製造のための、医薬上許容される担体と組み合わせたβ−ラパコンまたはその医薬上許容される塩の治療上有効量の使用。
【請求項２】
結腸癌の治療が腫瘍サイズの減少を含む、請求項１記載の使用。
【請求項３】
結腸癌の治療が腫瘍容積の減少を含む、請求項１記載の使用。
【請求項４】
結腸癌の治療が腫瘍増殖率の低下を含む、請求項１記載の使用。
【請求項５】
結腸癌が転移性結腸癌である、請求項１記載の使用。
【請求項６】
結腸癌の治療が細胞周期チェックポイントの活性化をもたらす、請求項１記載の使用。
【請求項７】
結腸癌の治療がＥ２Ｆの活性の調節をもたらす、請求項１記載の使用。
【請求項８】
結腸癌の治療が結腸癌における細胞死を誘発する、請求項１記載の使用。
【請求項９】
細胞死がアポトーシスである、請求項８記載の使用。
【請求項１０】
β−ラパコンまたはその医薬上許容される塩が非経口投与される、請求項１記載の使用。
【請求項１１】
β−ラパコンまたはその医薬上許容される塩が注射により投与される、請求項１記載の使用。
【請求項１２】
β−ラパコンまたはその医薬上許容される塩が静脈内投与される、請求項１記載の使用。
【請求項１３】
β−ラパコンまたはその医薬上許容される塩が経口投与される、請求項１記載の使用。
【請求項１４】
β−ラパコンまたはその医薬上許容される塩が局所投与される、請求項１記載の使用。
【請求項１５】
転移性結腸癌の治療のための医薬組成物の製造のための、医薬上許容される担体と組み合わせたβ−ラパコンまたはその医薬上許容される塩の治療上有効量の使用。
【請求項１６】
転移性結腸癌の治療が細胞周期チェックポイントの活性化をもたらす、請求項１５記載の使用。
【請求項１７】
転移性結腸癌の治療がＥ２Ｆの活性の調節をもたらす、請求項１５記載の使用。
【請求項１８】
転移性結腸癌の治療が転移性結腸癌における細胞死を誘発する、請求項１５記載の使用。
【請求項１９】
細胞死がアポトーシスである、請求項１８記載の使用。
【請求項２０】
β−ラパコンまたはその医薬上許容される塩が非経口投与される、請求項１５記載の使用。
【請求項２１】
β−ラパコンまたはその医薬上許容される塩が注射により投与される、請求項１５記載の使用。
【請求項２２】
β−ラパコンまたはその医薬上許容される塩が静脈内投与される、請求項１５記載の使用。
【請求項２３】
β−ラパコンまたはその医薬上許容される塩が経口投与される、請求項１５記載の使用。
【請求項２４】
β−ラパコンまたはその医薬上許容される塩が局所投与される、請求項１５記載の使用。
【請求項２５】
結腸の細胞増殖性障害の治療または予防のための医薬組成物の製造のための、医薬上許容される担体と組み合わせたβ−ラパコンまたはその医薬上許容される塩の治療上有効量の使用。
【請求項２６】
結腸の細胞増殖性障害が結腸癌である、請求項２５記載の使用。
【請求項２７】
結腸の細胞増殖性障害が結腸の前癌症状である、請求項２５記載の使用。
【請求項２８】
結腸の細胞増殖性障害が結腸の過形成である、請求項２５記載の使用。
【請求項２９】
結腸の細胞増殖性障害が結腸の化生である、請求項２５記載の使用。
【請求項３０】
結腸の細胞増殖性障害が結腸の異形成である、請求項２５記載の使用。
【請求項３１】
結腸の細胞増殖性障害の治療または予防が細胞周期チェックポイントの活性化をもたらす、請求項２５記載の使用。
【請求項３２】
結腸の細胞増殖性障害の治療または予防がＥ２Ｆの活性の調節をもたらす、請求項２５記載の使用。
【請求項３３】
結腸の細胞増殖性障害の治療または予防が結腸の細胞増殖性障害を含む細胞における細胞死を誘発する、請求項２５記載の使用。
【請求項３４】
細胞死がアポトーシスである、請求項３３記載の使用。
【請求項３５】
β−ラパコンまたはその医薬上許容される塩が非経口投与される、請求項２５記載の使用。
【請求項３６】
β−ラパコンまたはその医薬上許容される塩が注射により投与される、請求項２５記載の使用。
【請求項３７】
β−ラパコンまたはその医薬上許容される塩が静脈内投与される、請求項２５記載の使用。
【請求項３８】
β−ラパコンまたはその医薬上許容される塩が経口投与される、請求項２５記載の使用。
【請求項３９】
β−ラパコンまたはその医薬上許容される塩が局所投与される、請求項２５記載の使用。
【請求項４０】
結腸癌細胞を医薬組成物と接触させること（ここで、該接触が結腸癌細胞における細胞死を誘発する）を含む結腸癌細胞における細胞死の誘発のための医薬組成物の製造のためのβ−ラパコンまたはその医薬上許容される塩の有効量の使用。
【請求項４１】
結腸癌細胞が転移性結腸癌細胞である、請求項４０記載の使用。
【請求項４２】
細胞死がアポトーシスである、請求項４０記載の使用。
【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
肺癌の治療のための医薬組成物の製造のための、医薬上許容される担体と組み合わせたβ−ラパコンまたはその医薬上許容される塩の治療上有効量の使用。
【請求項２】
肺癌の治療が腫瘍サイズの減少を含む、請求項１記載の使用。
【請求項３】
肺癌の治療が腫瘍容積の減少を含む、請求項１記載の使用。
【請求項４】
肺癌の治療が腫瘍増殖率の低下を含む、請求項１記載の使用。
【請求項５】
肺癌が転移性肺癌である、請求項１記載の使用。
【請求項６】
肺癌が小細胞肺癌である、請求項１記載の使用。
【請求項７】
肺癌が非小細胞肺癌である、請求項１記載の使用。
【請求項８】
肺癌の治療が細胞周期チェックポイントの活性化をもたらす、請求項１記載の使用。
【請求項９】
肺癌の治療がＥ２Ｆの活性の調節をもたらす、請求項１記載の使用。
【請求項１０】
肺癌の治療が肺癌における細胞死を誘発する、請求項１記載の使用。
【請求項１１】
細胞死がアポトーシスである、請求項１０記載の使用。
【請求項１２】
β−ラパコンまたはその医薬上許容される塩が非経口投与される、請求項１記載の使用。
【請求項１３】
β−ラパコンまたはその医薬上許容される塩が注射により投与される、請求項１記載の使用。
【請求項１４】
β−ラパコンまたはその医薬上許容される塩が静脈内投与される、請求項１記載の使用。
【請求項１５】
β−ラパコンまたはその医薬上許容される塩が経口投与される、請求項１記載の使用。
【請求項１６】
β−ラパコンまたはその医薬上許容される塩が局所投与される、請求項１記載の使用。
【請求項１７】
転移性肺癌の治療のための医薬組成物の製造のための、医薬上許容される担体と組み合わせたβ−ラパコンまたはその医薬上許容される塩の治療上有効量の使用。
【請求項１８】
転移性肺癌の治療が細胞周期チェックポイントの活性化をもたらす、請求項１７記載の使用。
【請求項１９】
転移性肺癌の治療がＥ２Ｆの活性の調節をもたらす、請求項１７記載の使用。
【請求項２０】
転移性肺癌の治療が転移性肺癌における細胞死を誘発する、請求項１７記載の使用。
【請求項２１】
細胞死がアポトーシスである、請求項２０記載の使用。
【請求項２２】
β−ラパコンまたはその医薬上許容される塩が非経口投与される、請求項１７記載の使用。
【請求項２３】
β−ラパコンまたはその医薬上許容される塩が注射により投与される、請求項１７記載の使用。
【請求項２４】
β−ラパコンまたはその医薬上許容される塩が静脈内投与される、請求項１７記載の使用。
【請求項２５】
β−ラパコンまたはその医薬上許容される塩が経口投与される、請求項１７記載の使用。
【請求項２６】
β−ラパコンまたはその医薬上許容される塩が局所投与される、請求項１７記載の使用。
【請求項２７】
肺の細胞増殖性障害の治療または予防のための医薬組成物の製造のための、医薬上許容される担体と組み合わせたβ−ラパコンまたはその医薬上許容される塩の治療上有効量の使用。
【請求項２８】
肺の細胞増殖性障害が肺癌である、請求項２７記載の使用。
【請求項２９】
肺の細胞増殖性障害が肺の前癌症状である、請求項２７記載の使用。
【請求項３０】
肺の細胞増殖性障害が肺の過形成である、請求項２７記載の使用。
【請求項３１】
肺の細胞増殖性障害が肺の化生である、請求項２７記載の使用。
【請求項３２】
肺の細胞増殖性障害の治療または予防が細胞周期チェックポイントの活性化をもたらす、請求項２７記載の使用。
【請求項３３】
肺の細胞増殖性障害の治療または予防がＥ２Ｆの活性の調節をもたらす、請求項２７記載の使用。
【請求項３４】
肺の細胞増殖性障害の治療または予防が肺の細胞増殖性障害を含む細胞における細胞死を誘発する、請求項２７記載の使用。
【請求項３５】
細胞死がアポトーシスである、請求項３４記載の使用。
【請求項３６】
β−ラパコンまたはその医薬上許容される塩が非経口投与される、請求項２７記載の使用。
【請求項３７】
β−ラパコンまたはその医薬上許容される塩が注射により投与される、請求項２７記載の使用。
【請求項３８】
β−ラパコンまたはその医薬上許容される塩が静脈内投与される、請求項２７記載の使用。
【請求項３９】
β−ラパコンまたはその医薬上許容される塩が経口投与される、請求項２７記載の使用。
【請求項４０】
β−ラパコンまたはその医薬上許容される塩が局所投与される、請求項２７記載の使用。
【請求項４１】
肺癌細胞を医薬組成物と接触させること（ここで、該接触が肺癌細胞における細胞死を誘発する）を含む肺癌細胞における細胞死の誘発のための医薬組成物の製造のためのβ−ラパコンまたはその医薬上許容される塩の有効量の使用。
【請求項４２】
肺癌細胞が転移性肺癌細胞である、請求項４１記載の使用。
【請求項４３】
肺癌細胞が小細胞肺癌細胞である、請求項４１記載の使用。
【請求項４４】
肺癌細胞が非小細胞肺癌細胞である、請求項４１記載の使用。
【請求項４５】
細胞死がアポトーシスである、請求項４１記載の使用。
【手続補正書】
【提出日】平成20年2月8日(2008.2.8)
【手続補正１】
【補正対象書類名】特許請求の範囲
【補正対象項目名】請求項１９
【補正方法】変更
【補正の内容】
【請求項１９】
請求項１〜１３のいずれか１つに記載の化合物を含有することを特徴とする、ヒトを含む哺乳動物におけるｍＧｌｕＲ５媒介障害の治療剤。
【手続補正２】
【補正対象書類名】特許請求の範囲
【補正対象項目名】請求項２０
【補正方法】変更
【補正の内容】
【請求項２０】
神経障害の治療における使用のための、請求項１９に記載の治療剤。
【手続補正３】
【補正対象書類名】特許請求の範囲
【補正対象項目名】請求項２１
【補正方法】変更
【補正の内容】
【請求項２１】
精神障害の治療における使用のための、請求項１９に記載の治療剤。
【手続補正４】
【補正対象書類名】特許請求の範囲
【補正対象項目名】請求項２２
【補正方法】変更
【補正の内容】
【請求項２２】
慢性および急性疼痛障害の治療における使用のための、請求項１９に記載の治療剤。
【手続補正５】
【補正対象書類名】特許請求の範囲
【補正対象項目名】請求項２３
【補正方法】変更
【補正の内容】
【請求項２３】
消化器障害の治療における使用のための、請求項１９に記載の治療剤。
【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
シタロプラム、若しくはエスシタロプラム、又は薬学的に許容可能なその塩、溶媒和物、多形体、若しくは水和物を有効成分として含む、片頭痛の治療又は予防用医薬。
【請求項２】
片頭痛が、前駆症状のない又は前駆症状のある片頭痛である、請求項１に記載の医薬。
【請求項３】
シタロプラム、若しくはエスシタロプラム、又は薬学的に許容可能なその塩、溶媒和物、多形体、若しくは水和物を有効成分として含む、緊張性頭痛の治療又は予防用医薬。
【請求項４】
緊張性頭痛が、慢性の緊張性頭痛である、請求項３に記載の医薬。
【請求項５】
緊張性頭痛が、偶発性緊張性頭痛である、請求項３に記載の医薬。
【請求項６】
シタロプラム、若しくはエスシタロプラム、又は薬学的に許容可能なその塩、溶媒和物、多形体、若しくは水和物を有効成分として含む、群発頭痛の治療又は予防用医薬。
【請求項７】
シタロプラム、若しくはエスシタロプラム、又は薬学的に許容可能なその塩、溶媒和物、多形体、若しくは水和物を有効成分として含む、頭痛疾患関連の痛みの治療又は軽減用医薬。
【請求項８】
頭痛疾患が、片頭痛、緊張性頭痛、又は群発頭痛である、請求項７に記載の医薬。
【請求項９】
シタロプラム、又は薬学的に許容可能なその塩、溶媒和物、多形体、若しくは水和物を有効成分として含む、請求項１〜８のいずれか一項に記載の医薬。
【請求項１０】
エスシタロプラム、又は薬学的に許容可能なその塩、溶媒和物、多形体、若しくは水和物を有効成分として含む、請求項１〜８のいずれか一項に記載の医薬。
【請求項１１】
ラセミ体の若しくは光学的に純粋なシタロプラム代謝物質、又は薬学的に許容可能なその塩、溶媒和物、多形体、若しくは水和物を有効成分として含む、片頭痛の治療又は予防用医薬。
【請求項１２】
ラセミ体の若しくは光学的に純粋なシタロプラム代謝物質、又は薬学的に許容可能なその塩、溶媒和物、多形体、若しくは水和物を有効成分として含む、緊張性頭痛の治療又は予防用医薬。
【請求項１３】
緊張性頭痛が、慢性の緊張性頭痛である、請求項１２に記載の医薬。
【請求項１４】
緊張性頭痛が、偶発性頭痛である、請求項１２に記載の医薬。
【請求項１５】
ラセミ体の若しくは光学的に純粋なシタロプラム代謝物質、又は薬学的に許容可能なその塩、溶媒和物、多形体、若しくは水和物を有効成分として含む、群発頭痛の治療又は予防用医薬。
【請求項１６】
前記方法がラセミ体の若しくは光学的に純粋なシタロプラム代謝物質、又は薬学的に許容可能なその塩、溶媒和物、多形体、若しくは水和物を有効成分として含む、頭痛疾患関連の痛みの治療又は軽減用医薬。
【請求項１７】
頭痛疾患が、片頭痛、緊張性頭痛、又は群発頭痛である、請求項１６に記載の医薬。
【請求項１８】
シタロプラム代謝物質が、デスメチルシタロプラム、ジデスメチルシタロプラム、若しくはシタロプラムプロパン酸、又は薬学的に許容可能なその塩、溶媒和物、多形体、若しくは水和物である、請求項１１〜１７のいずれか一項に記載の医薬。
【請求項１９】
シタロプラム代謝物質が、（±）−デスメチルシタロプラム、光学的に純粋な（＋）−デスメチルシタロプラム、若しくは光学的に純粋な（−）−デスメチルシタロプラム、又は薬学的に許容可能なその塩、溶媒和物、多形体、若しくは水和物である、請求項１１〜１７のいずれか一項に記載の医薬。
【請求項２０】
シタロプラム代謝物質が、（±）−ジデスメチルシタロプラム、光学的に純粋な（＋）−ジデスメチルシタロプラム、若しくは光学的に純粋な（−）−ジデスメチルシタロプラム、又は薬学的に許容可能なその塩、溶媒和物、多形体、若しくは水和物である、請求項１１〜１７のいずれか一項に記載の医薬。
【請求項２１】
前記有効成分の治療的有効量が、約０．５ｍｇ／日〜約５００ｍｇ／日の範囲にある、請求項１〜２０のいずれか一項に記載の医薬。
【請求項２２】
前記有効成分の治療的有効量が、約１ｍｇ／日〜約２５０ｍｇ／日の範囲にある、請求項１〜２０のいずれか一項に記載の医薬。
【請求項２３】
前記有効成分の治療的有効量が、約５ｍｇ／日〜約１００ｍｇ／日の範囲にある、請求項１〜２０のいずれか一項に記載の医薬。
【請求項２４】
前記有効成分の治療的有効量が、経口的に投与される、請求項１〜２０のいずれか一項に記載の医薬。
【請求項２５】
前記有効成分の治療的有効量が、カプセル又は錠剤の形態で投与される、請求項２４に記載の医薬。
【請求項２６】
前記有効成分の治療的有効量が、非経口的に投与される、請求項１〜２０のいずれか一項に記載の医薬。
【請求項２７】
シタロプラム、若しくはエスシタロプラム、又は薬学的に許容可能なその塩、溶媒和物、多形体、若しくは水和物を有効成分として含む、片頭痛の病気の予防用の医薬。
【請求項２８】
ラセミ体の若しくは光学的に純粋なシタロプラム代謝物質、又は薬学的に許容可能なその塩、溶媒和物、多形体、若しくは水和物を有効成分として含む、片頭痛の病気の予防用の医薬。
【請求項２９】
人間用である請求項１〜２８のいずれか一項に記載の医薬。
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
タキサンに対する耐性又は抵抗性のある癌又は腫瘍の治療のための薬学的組成物の調整用の構造
2007523123.tif 000001
の化合物の使用。
【請求項２】
請求項１に記載の使用において、前記治療が、腫瘍細胞を殺す又は腫瘍細胞の成長を阻害することを特徴とする使用。
【請求項３】
請求項１又は２に記載の使用において、前記癌又は腫瘍の耐性又は抵抗性がチューブリンによって介在されることを特徴とする使用。
【請求項４】
請求項１又は２に記載の使用において、前記癌又は腫瘍の耐性又は抵抗性が、多剤耐性を通して介在されることを特徴とする使用。
【請求項５】
請求項４に記載の使用において、前記多剤耐性が、ＡＢＣトランスポータの過剰発現を通して介在されることを特徴とする使用。
【請求項６】
請求項１乃至５のいずれか１項に記載の使用において、前記タキサンがパクリタキセルであることを特徴とする使用。
【請求項７】
請求項１乃至５のいずれか１項に記載の使用において、前記タキサンがドセタキセルであることを特徴とする使用。
【請求項８】
請求項１乃至７のいずれか１項に記載の使用において、前記腫瘍が固形腫瘍を具えることを特徴とする使用。
【請求項９】
請求項８に記載の使用において、前記腫瘍が：乳癌、子宮頚癌、結腸直腸癌、腹膜癌、卵巣癌、気管支癌、小細胞肺癌、非小細胞肺癌、胃癌、前立腺癌、及び頭頚部癌、又はこれらの転移癌から選択されることを特徴とする使用。
【請求項１０】
請求項９に記載の使用において、前記固形腫瘍が前立腺癌であることを特徴とする使用。
【請求項１１】
請求項９に記載の使用において、前記固形腫瘍が乳癌であることを特徴とする使用。
【請求項１２】
請求項９に記載の使用において、前記固形腫瘍が卵巣癌であることを特徴とする使用。
【請求項１３】
請求項９に記載の使用において、前記固形腫瘍が非小細胞肺癌であることを特徴とする使用。
【請求項１４】
請求項１乃至７のいずれか１項に記載の使用において、前記腫瘍が血液腫瘍を具えることを特徴とする使用。
【請求項１５】
請求項１乃至１４のいずれか１項に記載の使用において、前記治療が、有効量の別の薬学的な成分を更に投与するステップを具えることを特徴とする使用。
【請求項１６】
請求項１５に記載の使用において、前記その他の薬学的な成分が、鎮吐作用又は止痢治療用組成物であることを特徴とする使用。
【請求項１７】
請求項１５に記載の使用において、前記その他の薬学的な成分が、特定の薬物耐性機構を克服することを特徴とする使用。
【請求項１８】
請求項１５に記載の使用において、前記その他の薬学的な成分が、別の抗癌治療薬であることを特徴とする使用。
【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
膵癌の治療のための医薬組成物の製造のための、医薬上許容される担体と組み合わせたβ−ラパコンまたはその医薬上許容される塩の治療上有効量の使用。
【請求項２】
膵癌の治療が腫瘍サイズの減少を含む、請求項１記載の使用。
【請求項３】
膵癌の治療が腫瘍容積の減少を含む、請求項１記載の使用。
【請求項４】
膵癌の治療が腫瘍増殖率の低下を含む、請求項１記載の使用。
【請求項５】
膵癌が転移性膵癌である請求項１記載の使用。
【請求項６】
膵癌の治療が細胞周期チェックポイントの活性化をもたらす、請求項１記載の使用。
【請求項７】
膵癌の治療がＥ２Ｆの活性の調節をもたらす、請求項１記載の使用。
【請求項８】
膵癌の治療が膵癌における細胞死を誘発する、請求項１記載の使用。
【請求項９】
細胞死がアポトーシスである、請求項８記載の使用。
【請求項１０】
β−ラパコンまたはその医薬上許容される塩が非経口投与される、請求項１記載の使用。
【請求項１１】
β−ラパコンまたはその医薬上許容される塩が注射により投与される、請求項１記載の使用。
【請求項１２】
β−ラパコンまたはその医薬上許容される塩が静脈内投与される、請求項１記載の使用。
【請求項１３】
β−ラパコンまたはその医薬上許容される塩が経口投与される、請求項１記載の使用。
【請求項１４】
β−ラパコンまたはその医薬上許容される塩が局所投与される、請求項１記載の使用。
【請求項１５】
転移性膵癌の治療のための医薬組成物の製造のための、医薬上許容される担体と組み合わせたβ−ラパコンまたはその医薬上許容される塩の治療上有効量の使用。
【請求項１６】
転移性膵癌の治療が細胞周期チェックポイントの活性化をもたらす、請求項１５記載の使用。
【請求項１７】
転移性膵癌の治療がＥ２Ｆの活性の調節をもたらす、請求項１５記載の使用。
【請求項１８】
転移性膵癌の治療が転移性膵癌における細胞死を誘発する、請求項１５記載の使用。
【請求項１９】
細胞死がアポトーシスである、請求項１８記載の使用。
【請求項２０】
β−ラパコンまたはその医薬上許容される塩が非経口投与される、請求項１５記載の使用。
【請求項２１】
β−ラパコンまたはその医薬上許容される塩が注射により投与される、請求項１５記載の使用。
【請求項２２】
β−ラパコンまたはその医薬上許容される塩が静脈内投与される、請求項１５記載の使用。
【請求項２３】
β−ラパコンまたはその医薬上許容される塩が経口投与される、請求項１５記載の使用。
【請求項２４】
β−ラパコンまたはその医薬上許容される塩が局所投与される、請求項１５記載の使用。
【請求項２５】
膵臓の細胞増殖性障害の治療または予防のための医薬組成物の製造のための、医薬上許容される担体と組み合わせたβ−ラパコンまたはその医薬上許容される塩の治療上有効量の使用。
【請求項２６】
膵臓の細胞増殖性障害が膵癌である、請求項２５記載の使用。
【請求項２７】
膵臓の細胞増殖性障害が膵臓の前癌症状である、請求項２５記載の使用。
【請求項２８】
膵臓の細胞増殖性障害が膵臓の過形成である、請求項２５記載の使用。
【請求項２９】
膵臓の細胞増殖性障害が膵臓の化生である、請求項２５記載の使用。
【請求項３０】
膵臓の細胞増殖性障害が膵臓の異形成である、請求項２５記載の使用。
【請求項３１】
膵臓の細胞増殖性障害の治療または予防が細胞周期チェックポイントの活性化をもたらす、請求項２５記載の使用。
【請求項３２】
膵臓の細胞増殖性障害の治療または予防がＥ２Ｆの活性の調節をもたらす、請求項２５記載の使用。
【請求項３３】
膵臓の細胞増殖性障害の治療または予防が膵臓の細胞増殖性障害を含む細胞における細胞死を誘発する、請求項２５記載の使用。
【請求項３４】
細胞死がアポトーシスである、請求項３３記載の使用。
【請求項３５】
β−ラパコンまたはその医薬上許容される塩が非経口投与される、請求項２５記載の使用。
【請求項３６】
β−ラパコンまたはその医薬上許容される塩が注射により投与される、請求項２５記載の使用。
【請求項３７】
β−ラパコンまたはその医薬上許容される塩が静脈内投与される、請求項２５記載の使用。
【請求項３８】
β−ラパコンまたはその医薬上許容される塩が経口投与される、請求項２５記載の使用。
【請求項３９】
β−ラパコンまたはその医薬上許容される塩が局所投与される、請求項２５記載の使用。
【請求項４０】
膵癌細胞を医薬組成物と接触させること（ここで、該接触が膵癌細胞における細胞死を誘発する）を含む膵癌細胞における細胞死の誘発のための医薬組成物の製造のためのβ−ラパコンまたはその医薬上許容される塩の有効量の使用。
【請求項４１】
膵癌細胞が転移性膵癌細胞である、請求項４０記載の使用。
【請求項４２】
細胞死がアポトーシスである、請求項４０記載の使用。
【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
リンパ腫、白血病、骨髄腫瘍および肥満細胞腫瘍からなる群から選択される癌の治療のための医薬組成物の製造のための、医薬上許容される担体と組み合わせたβ−ラパコンまたはその医薬上許容される塩の治療上有効量の使用。
【請求項２】
リンパ腫、白血病、骨髄腫瘍および肥満細胞腫瘍からなる群から選択される癌が肥満細胞腫瘍である、請求項１記載の使用。
【請求項３】
リンパ腫、白血病、骨髄腫瘍および肥満細胞腫瘍からなる群から選択される癌の治療が細胞周期チェックポイントの活性化をもたらす、請求項１記載の使用。
【請求項４】
リンパ腫、白血病、骨髄腫瘍および肥満細胞腫瘍からなる群から選択される癌の治療がＥ２Ｆの活性の調節をもたらす、請求項１記載の使用。
【請求項５】
リンパ腫、白血病、骨髄腫瘍および肥満細胞腫瘍からなる群から選択される癌の治療がリンパ腫、白血病、骨髄腫瘍および肥満細胞腫瘍からなる群から選択される癌における細胞死を誘発する、請求項１記載の使用。
【請求項６】
細胞死がアポトーシスである、請求項５記載の使用。
【請求項７】
β−ラパコンまたはその医薬上許容される塩が非経口投与される、請求項１記載の使用。
【請求項８】
β−ラパコンまたはその医薬上許容される塩が注射により投与される、請求項１記載の使用。
【請求項９】
β−ラパコンまたはその医薬上許容される塩が静脈内投与される、請求項１記載の使用。
【請求項１０】
β−ラパコンまたはその医薬上許容される塩が経口投与される、請求項１記載の使用。
【請求項１１】
リンパ腫の治療のための医薬組成物の製造のための、医薬上許容される担体と組み合わせたβ−ラパコンまたはその医薬上許容される塩の治療上有効量の使用。
【請求項１２】
リンパ腫の治療が細胞周期チェックポイントの活性化をもたらす、請求項１１記載の使用。
【請求項１３】
リンパ腫の治療がＥ２Ｆの活性の調節をもたらす、請求項１１記載の使用。
【請求項１４】
リンパ腫の治療がリンパ腫における細胞死を誘発する、請求項１１記載の使用。
【請求項１５】
細胞死がアポトーシスである、請求項１４記載の使用。
【請求項１６】
β−ラパコンまたはその医薬上許容される塩が非経口投与される、請求項１１記載の使用。
【請求項１７】
β−ラパコンまたはその医薬上許容される塩が注射により投与される、請求項１１記載の使用。
【請求項１８】
β−ラパコンまたはその医薬上許容される塩が静脈内投与される、請求項１１記載の使用。
【請求項１９】
β−ラパコンまたはその医薬上許容される塩が経口投与される、請求項１１記載の使用。
【請求項２０】
白血病の治療のための医薬組成物の製造のための、医薬上許容される担体と組み合わせたβ−ラパコンまたはその医薬上許容される塩の治療上有効量の使用。
【請求項２１】
白血病の治療が細胞周期チェックポイントの活性化をもたらす、請求項２０記載の使用。
【請求項２２】
白血病の治療がＥ２Ｆの活性の調節をもたらす、請求項２０記載の使用。
【請求項２３】
白血病の治療が白血病における細胞死を誘発する、請求項２０記載の使用。
【請求項２４】
細胞死がアポトーシスである、請求項２３記載の使用。
【請求項２５】
β−ラパコンまたはその医薬上許容される塩が非経口投与される、請求項２０記載の使用。
【請求項２６】
β−ラパコンまたはその医薬上許容される塩が注射により投与される、請求項２０記載の使用。
【請求項２７】
β−ラパコンまたはその医薬上許容される塩が静脈内投与される、請求項２０記載の使用。
【請求項２８】
β−ラパコンまたはその医薬上許容される塩が経口投与される、請求項２０記載の使用。
【請求項２９】
骨髄腫瘍の治療のための医薬組成物の製造のための、医薬上許容される担体と組み合わせたβ−ラパコンまたはその医薬上許容される塩の治療上有効量の使用。
【請求項３０】
骨髄腫瘍の治療が細胞周期チェックポイントの活性化をもたらす、請求項２９記載の使用。
【請求項３１】
骨髄腫瘍の治療がＥ２Ｆの活性の調節をもたらす、請求項２９記載の使用。
【請求項３２】
骨髄腫瘍の治療が骨髄腫瘍における細胞死を誘発する、請求項２９記載の使用。
【請求項３３】
細胞死がアポトーシスである、請求項３２記載の使用。
【請求項３４】
β−ラパコンまたはその医薬上許容される塩が非経口投与される、請求項２９記載の使用。
【請求項３５】
β−ラパコンまたはその医薬上許容される塩が注射により投与される、請求項２９記載の使用。
【請求項３６】
β−ラパコンまたはその医薬上許容される塩が静脈内投与される、請求項２９記載の使用。
【請求項３７】
β−ラパコンまたはその医薬上許容される塩が経口投与される、請求項２９記載の使用。
【請求項３８】
リンパ腫、白血病、骨髄腫瘍および肥満細胞腫瘍からなる群から選択される癌を医薬組成物と接触させること（ここで、該接触がリンパ腫、白血病、骨髄腫瘍および肥満細胞腫瘍からなる群から選択される癌における細胞死を誘発する）を含むリンパ腫、白血病、骨髄腫瘍および肥満細胞腫瘍からなる群から選択される癌における細胞死の誘発のための医薬組成物の製造のためのβ−ラパコンまたはその医薬上許容される塩の有効量の使用。
【請求項３９】
細胞死がアポトーシスである、請求項３８記載の使用。
【手続補正書】
【提出日】平成20年11月6日(2008.11.6)
【手続補正１】
【補正対象書類名】明細書
【補正対象項目名】００１７
【補正方法】変更
【補正の内容】
【００１７】
ｖｏｌ％A＝ＷｔA／ρA／（ＷｔA／ρA）＋（ＷｔB／ρB）
（式中、ＷｔA及びＷｔBは、それぞれ物質Ａ及びＢの重量（ｇ）であり、そしてρA及びρBは密度（物質Ａ及び物質Ｂのｇ／ｍｌ）である）。